(57)【要約】【課題】  多層構造画像データを効率よく利用する。【解決手段】  画像データ抽出部２１は、入力部１１に入力された多層構造画像データから画像データを抽出し、抽出した画像データを画像データ変換部２４に、抽出した画像データに関する情報を変換指示部２３に供給する。描画抽出部２２は、入力部１１に入力された多層構造画像データから描画記述を抽出し、抽出した描画記述を画像データ変換部２４に、抽出した描画記述に関する情報を変換指示部２３に供給する。変換指示部２３は、ハードウェア資源情報を取得すると、生産性を重視して画像データの復号速度を予測する。そして、変換指示部２３は、所定の速度を保証できるように画像データの変換手法を決定し、その変換手法を画像データ変換部２４及び描画記述変換部２５に指示する。【選択図】  図１
2006279109.tif 000002
【特許請求の範囲】
【請求項１】
入力された多層構造画像データからそれぞれ異なる形式のデータを抽出する複数のデータ抽出手段と、
前記複数のデータ抽出手段によりそれぞれ抽出されたデータをそれぞれ変換する複数のデータ変換手段と、
前記多層構造画像データから変換されるデータに処理を施すハードウェアの資源情報、前記多層構造画像データの用途情報の少なくとも１つに基づいて、前記複数のデータ変換手段の少なくとも１つに対して、所定の形式に変換するように指示する変換指示手段と、
前記データ変換手段により変換されたデータを記憶するデータ記憶手段と、
を備えた多層構造画像変換装置。
【請求項２】
前記入力された多層構造画像データと、前記入力された多層構造画像データから変換されたデータと、を関連付ける関連情報を記憶する関連情報記憶手段と、
前記データ記憶手段に記憶され、かつ前記関連情報によって関連付けられているデータの中から、外部システムから要求された使途に応じたデータを選択する選択手段と、を更に備えた
請求項１に記載の多層構造画像変換装置。
【請求項３】
前記記憶手段に記憶されたデータに所定の処理を施すデータ処理手段を更に備え、
前記関連情報記憶手段は、さらに、前記入力された多層構造画像データと、前記データ処理手段により処理されたデータと、を関連付ける関連情報を記憶する
請求項２に記載の多層構造画像変換装置。
【請求項４】
入力された多層構造画像データからそれぞれ異なる形式のデータを抽出し、
前記多層構造画像データから変換されるデータに処理を施すハードウェアの資源情報、前記多層構造画像データの用途情報の少なくとも１つに基づいて、前記抽出されたデータを所定の形式に変換するように指示し、
前記抽出されたデータをそれぞれ前記指示された形式に変換し、
変換されたそれぞれのデータをデータ記憶手段に記憶する
多層構造画像変換方法。
【請求項５】
前記入力された多層構造画像データと、前記入力された多層構造画像データから変換されたデータと、を関連付ける関連情報を関連情報記憶手段に記憶し、
前記データ記憶手段に記憶され、かつ前記関連情報によって関連付けられているデータの中から、外部システムから要求された使途に応じたデータを選択する
請求項４に記載の多層構造画像変換方法。
【請求項６】
前記記憶手段に記憶されたデータに所定の処理を施し、
前記入力された多層構造画像データと、前記所定の処理が施されたデータと、を関連付けた関連情報を前記関連情報記憶手段に記憶する
請求項５に記載の多層構造画像変換方法。
【請求項７】
多層構造画像データに施される処理に応じて、前記多層構造画像データを、層単位で前記処理に適したデータ形式に変換するデータ変換手段を備えた多層構造画像変換装置。
【請求項８】
前記多層構造画像データから変換されるデータに処理を施すハードウェアの資源情報、前記多層構造画像データの用途情報の少なくとも１つに基づいて、前記データ変換手段に対して前記処理に適したデータ形式を指示する指示手段を更に備えた請求項７に記載の多層構造画像変換装置。
【請求項９】
多層構造画像データに施される処理に応じて、前記多層構造画像データを、層単位で前記処理に適したデータ形式に変換する多層構造画像変換方法。
【請求項１０】
前記多層構造画像データから変換されるデータに処理を施すハードウェアの資源情報、前記多層構造画像データの用途情報の少なくとも１つに基づいて、前記処理に適したデータ形式を指示する請求項９に記載の多層構造画像変換方法。
【発明の詳細な説明】
【技術分野】
【０００１】
本発明は、多層構造画像変換装置及び方法に係り、特に、多層構造画像データを様々な形式に変換して蓄積する多層構造画像変換装置及び方法に関する。
【背景技術】
【０００２】
自然画、文字等から構成された多層構造画像データは、デバイスに蓄積された後、目的やシステムの要求に応じて、所定のフォーマットに変換されている。
【０００３】
例えば、記述言語で記述された複雑な描画命令が含まれている文書情報（多層構造画像データ）を、複雑さに応じて最適に処理することが可能な文書処理システムが開示されている（例えば特許文献１参照。）。
【０００４】
特許文献１において、文書編集装置は、文字、図形、画像等の描画要素を構成要素とする複数の第１の中間データを生成する。印刷処理装置は、文書編集装置から入力された文書データを、文書データ分割手段によって複数の第１の中間データに分割し、各々を複数の描画手段に分配して描画処理を実行する。各描画要素について第１の中間データから第２の中間データ変換に要する描画時間を予測し、また第２の中間データをページ画像に合成するのに要する合成時間を予測し、予測されるこれらの処理時間に基づいて描画要素の組み合わせを決定し、決定された描画要素の組み合わせに基づいて中間データの生成を実行する。
【０００５】
これにより、上記文書処理システムは、印刷処理装置の有する複数の描画手段を文書データの各ページ内部で並列に動作させることが可能であるため、入力された文書データの各ページを高速に画像データに変換し、プリントエンジンを通して出力することができる。
【特許文献１】特開平１１−３１０５２号公報
【発明の開示】
【発明が解決しようとする課題】
【０００６】
しかし、特許文献１に記載された文書処理システムは、多層構造画像データをシステム内部に合わせて所定のデータ形式に変換するに過ぎない。このため、多層構造画像データの再利用性の向上と、その多層構造画像データによる画像の画質向上と、の相反する要求を満足し難かった。
【０００７】
また、ユーザは、多層構造画像データから変換された複数の形式のデータをみることができたため、これらのデータを再利用するための操作が煩雑になってしまった。
【０００８】
本発明は、上述した課題を解決するために提案されたものであり、多層構造画像データを効率よく利用できる多層構造画像変換装置及び方法を提供することを目的とする。
【課題を解決するための手段】
【０００９】
本発明に係る多層構造画像変換装置は、入力された多層構造画像データからそれぞれ異なる形式のデータを抽出する複数のデータ抽出手段と、前記複数のデータ抽出手段によりそれぞれ抽出されたデータをそれぞれ変換する複数のデータ変換手段と、前記多層構造画像データから変換されるデータに処理を施すハードウェアの資源情報、前記多層構造画像データの用途情報の少なくとも１つに基づいて、前記複数のデータ変換手段の少なくとも１つに対して、所定の形式に変換するように指示する変換指示手段と、前記データ変換手段により変換されたデータを記憶するデータ記憶手段と、を備えている。
【００１０】
本発明に係る多層構造画像変換方法は、入力された多層構造画像データからそれぞれ異なる形式のデータを抽出し、前記多層構造画像データから変換されるデータに処理を施すハードウェアの資源情報、前記多層構造画像データの用途情報の少なくとも１つに基づいて、前記抽出されたデータを所定の形式に変換するように指示し、前記抽出されたデータをそれぞれ前記指示された形式に変換し、変換されたそれぞれのデータをデータ記憶手段に記憶する。
【００１１】
多層構造画像データは、通常、画像データ、及び画像データの描画記述などを有しているが、さらに、文字コード・データ、図形描画命令を有していてもよい。よって、多層構造画像データから抽出されるデータは、画像データ、描画記述、文字コード・データ、及び図形描画命令などである。
【００１２】
抽出されたデータは、ハードウェアの資源情報、多層構造画像データの用途情報の少なくとも１つに基づいて、所定の形式に変換される。ハードウェアとは、多層構造画像データから変換されたデータに処理を施すデバイスをいう。その資源情報は、例えば、前記ハードウェアでサポートしている圧縮方式、前記ハードウェアによる復号速度などが該当する。用途情報は、例えば、画質がよいのが好ましい写真印刷や、データ量が少ないのが好ましいサムネイル画像などがある。
【００１３】
したがって、多層構造画像データから抽出されたデータは、例えば、ハードウェアがサポートしている圧縮形式に対応するように、ハードウェアが所定の復号速度を維持できるように、画質が劣化しないように、データ量が少なくなるように、変換される。
【００１４】
これにより、本発明に係る多層構造画像変換装置及び方法は、多層構造画像データを単一のデータ形式に変換する場合に比べて、多層構造画像データを使用する場合の様々な要求に対応することができる。
【００１５】
また、本発明に係る多層構造画像変換装置は、更に、前記入力された多層構造画像データと、前記入力された多層構造画像データから変換されたデータと、を関連付ける関連情報を記憶する関連情報記憶手段と、前記データ記憶手段に記憶され、かつ前記関連情報によって関連付けられているデータの中から、外部システムから要求された使途に応じたデータを選択する選択手段と、を備えてもよい。
【００１６】
本発明に係る多層構造画像変換方法は、更に、入力された多層構造画像データと、入力された多層構造画像データから変換されたデータと、を関連付ける関連情報を関連情報記憶手段に記憶し、データ記憶手段に記憶され、かつ関連情報によって関連付けられているデータの中から、外部システムから要求された使途に応じたデータを選択してもよい。
【００１７】
これにより、外部システムは、多層構造画像変換装置によって変換されたすべての多層構造画像データをみる必要がなくなり、データ選択の際の負担が軽減される。また、多層構造画像変換装置は、関連情報によって関連付けられているデータの中から使途に応じたデータを選択するので、外部システムが所望の使途と異なる使途のデータを誤って選択してしまう、という問題を回避することができる。
【００１８】
さらに、本発明に係る多層構造画像変換装置は、前記記憶手段に記憶されたデータに所定の処理を施すデータ処理手段を更に備え、前記関連情報記憶手段は、さらに、前記入力された多層構造画像データと、前記データ処理手段により処理されたデータと、を関連付ける関連情報を記憶してもよい。
【００１９】
本発明に係る多層構造画像変換方法は、前記記憶手段に記憶されたデータに所定の処理を施し、前記入力された多層構造画像データと、前記所定の処理が施されたデータと、を関連付けた関連情報を前記関連情報記憶手段に記憶してもよい。ここで、所定の処理とは、例えば、記憶手段に記憶されたデータを統合したり、編集することが該当する。
【００２０】
これにより、一度データ記憶手段に記憶され、その後データ処理されたデータについても、上記と同様の効果が得られる。
【発明の効果】
【００２１】
本発明は、入力された多層構造画像データからそれぞれ異なる形式のデータを抽出し、多層構造画像データから変換されるデータに処理を施すハードウェアの資源情報、多層構造画像データの用途情報の少なくとも１つに基づいて、抽出されたデータを所定の形式に変換するように指示し、抽出されたデータをそれぞれ指示された形式に変換し、変換されたそれぞれのデータをデータ記憶手段に記憶することにより、多層構造画像データを単一のデータ形式に変換する場合に比べて、多層構造画像データを使用する場合の様々な要求に対応することができる。
【発明を実施するための最良の形態】
【００２２】
以下、本発明の好ましい実施の形態について図面を参照しながら詳細に説明する。
【００２３】
［第１の実施形態］
図１は、第１の実施形態に係る多層構造画像変換装置の構成を示すブロック図である。
【００２４】
上記多層構造画像変換装置は、多層構造画像データが入力される入力部１１と、多層構造画像データから画像データを抽出する画像データ抽出部２１と、多層構造画像データから描画記述を抽出する描画抽出部２２と、変換形式を指示する変換指示部２３と、変換指示部２３の指示に従って画像データを変換する画像データ変換部２４と、変換指示部２３の指示に従って描画記述を変換する描画記述変換部２５と、変換された画像データや描画記述を記憶して蓄積する記憶部３１と、を備えている。
【００２５】
図２は、多層構造画像データの構成を示す図である。多層構造画像データは、１つ以上の画像データと、各画像データについての描画記述と、各データをリンクして当該多層構造画像データを構成するための多層構造情報と、から構成されている。
【００２６】
画像データは、ラスタ・データ形式であり、所定の方式で符号化されている場合もある。例えば、画像データは、１ビット／ピクセルのバイナリデータがＪＢＩＧ方式で符号化されたり、２４ビット／ピクセルのカラーデータがＪＰＥＧ方式で符号化される場合もある。
【００２７】
描画記述は、対応する画像データの形状、大きさ、位置、解像度、角度、色、合成手法などからなる。例えば図２では、ＪＢＩＧ符号化データの描画記述は、１２８×６４ピクセルでありかつ６００ｄｐｉで１ビット／ピクセルのバイナリデータを（ｘ、ｙ）＝（１６、８）の位置に画素値０を透明色に、画素値１を（Ｒ、Ｇ、Ｂ）＝（２５５、０、０）の色として重ね書きすることを示している。
【００２８】
画像データ抽出部２１は、入力部１１に入力された多層構造画像データから画像データを抽出し、抽出した画像データを画像データ変換部２４に、抽出した画像データに関する情報を変換指示部２３に供給する。
【００２９】
描画抽出部２２は、入力部１１に入力された多層構造画像データから描画記述を抽出し、抽出した描画記述を画像データ変換部２４に、抽出した描画記述に関する情報を変換指示部２３に供給する。
【００３０】
画像データ変換部２４は、画像データ抽出部２１から供給された画像データを、変換指示部２３の指示に従って所定の形式に変換する。描画記述変換部２５は、画像データ抽出部２１から供給された描画記述を、変換指示部２３の指示に従って所定の形式に変換する。
【００３１】
記憶部３１は、画像データ変換部２４及び描画記述変換部２５で得られたデータ、すなわち、変換後の画像データ及び描画記述、さらに多層構造情報を記憶する。なお、記憶部３１は、画像データ変換部２４や描画記述変換部２５で得られたデータを記憶するだけでなく、入力部１１に入力された多層構造画像データを記憶してもよい。
【００３２】
以上のように構成された多層構造画像変換装置は、次のようにして画像データや描画記述を変換する。
【００３３】
（ハードウェア資源情報を用いる場合）
図３は、多層構造画像変換装置に入力された多層構造画像データと変換されたデータ（変換データ）を示す図である。ここでは、多層構造画像データは、ＪＰＥＧ２０００形式の画像データ１及びこの描画記述１（ｏｐａｑｕｅ）、ＪＢＩＧ２形式の画像データ２及びこの描画記述２（ブラック・マスク）、ＪＢＩＧ２形式の画像データ３及びこの描画記述３（レッド・マスク）、…、ＪＢＩＧ２形式の画像データｎ及びこの描画記述ｎ（カラー・マスク）で構成されている。
【００３４】
図４は、変換中のデータを説明する図である。多層構造画像変換装置は、変換データの供給先である外部システムのハードウェア資源情報に基づいて、多層構造画像データを所定の形式に変換する。
【００３５】
図１に示す変換指示部２３は、変換データの供給先である外部システムのハードウェア資源情報を取得する。ハードウェア資源情報としては、例えば、外部システムのＪＰＥＧデコーダ、ＭＭＲデコーダ、ＪＰＥＧ−ＬＳデコーダ、セレクタの処理能力などが該当する。
【００３６】
変換指示部２３は、ハードウェア資源情報を取得すると、例えば生産性を重視して画像データの復号速度を予測する。そして、変換指示部２３は、所定の速度を保証できるように画像データの変換手法を決定し、その変換手法を画像データ変換部２４に指示する。
【００３７】
画像データ変換部２４は、変換指示部２３で指示された変換手法で画像データを変換する。これにより、画像データ１はＪＰＥＧ２０００形式からＪＰＥＧ形式に、画像データ２はＪＢＩＧ２形式からＭＭＲ形式に、画像データ３はＪＢＩＧ２形式からＪＰＥＧ−ＬＳ形式に変換される。また、描画記述１はｏｐａｑｕｅからバックグランドに、描画記述２はブラック・マスクからセレクトに、描画記述３はレッド・マスクからフォアクランドに変換される。この結果、記憶部３１には、外部システムが一定の復号速度で復号可能なデータが保存される。
【００３８】
（印刷使途を用いる場合）
さらに、変換指示部２３は、印刷使途（画像データ形式、圧縮原理、絵柄など）に応じて、画像データの圧縮方式の変更を指示してもよい。
【００３９】
図５は、多層構造画像変換装置に入力された多層構造画像データと変換データを示す図である。多層構造画像データは、図３と同様に構成されている。図６は、変換中のデータを説明する図である。多層構造画像変換装置は、外部システムから指示された印刷用途に基づいて、多層構造画像データを所定の形式に変換する。
【００４０】
図１に示す変換指示部２３は、図示しない操作部を介してユーザから画像データの印刷使途（例えば、写真プリント用、サムネイル画像用など）が指示された場合、再利用性を重視し、その用途に応じた復号画質を予測する。そして、変換指示部２３は、予測した復号画質に基づいて、画質が劣化しない又は問題とならない変換手法を決定し、その変換手法を画像データ変換部２４に指示する。なお、変換指示部２３は、絵柄がグラフィックスである場合にはｄｅｆｌａｔｅに変更するように指示してもよい。
【００４１】
画像データ変換部２４は、変換指示部２３で指示された変換手法で画像データを変換する。これにより、画像データ１はＪＰＥＧ２０００形式からＪＰＥＧ−ＬＳ形式に、画像データ２、３、…、ｎはＪＢＩＧ２形式からＭＭＲ形式に変換される。この結果、記憶部３１には、復号しても画質が劣化しない画像圧縮データが保存される。
【００４２】
また、バイナリ形式の画像データがＪＢＩＧ２で圧縮されている場合、同じバイナリ形式のままでＪＢＩＧに変換してもよい。さらに、直交変換符号化方式であるＪＰＥＧ２０００で圧縮されている場合には、同じ原理、すなわち同じ直交変換符号化方式であるＪＰＥＧに変換してもよい。
【００４３】
以上のように、第１の実施形態に係る多層構造画像変換装置は、多層構造画像データの使途や、多層構造画像データに所定の処理（例えば復号処理等）を行うハードウェアに関するハードウェア資源情報に応じて、多層構造画像データを構成する各々のデータを所定の形式に変換することができる。
【００４４】
なお、上記多層構造画像変換装置は、２ｕｐで印刷する等、多層構造画像データの再利用をするためにできる限り高画質で保存したい場合、画像データと描画記述をそのまま保存してもよい。すぐに印刷したい場合、ハードディスクドライブ帯域やメモリ容量などのシステムの内部要求に合わせて、描画記述を簡単化（例えば、すべての記述を実行して単層化）すると共に、外部システムがサポートしている圧縮方式（例えば独自圧縮方式ＡＬＬＡ）に変換して、蓄積してもよい。
【００４５】
なお、多層構造画像データを変換する際に、その構成要素である画像データの圧縮方式と描画記述の選択方法を工夫してもよい。例えば、描画に解像度変換が伴う場合、それに併せて符号化パラメータを設定する。具体的には、ＪＰＥＧの量子化テーブル、ＪＰＥＧ２０００のバンド量子化特性、バンド打ち切り位置を、それぞれ解像度変換に見合った値に設定すればよい。これにより、圧縮率や画質の劣化を防止できる。
【００４６】
［第２の実施形態］
つぎに、本発明の第２の実施形態について説明する。なお、第１の実施形態と同一の部位には同一の符号を付し、その詳細な説明は省略する。
【００４７】
図７は、第２の実施形態に係る多層構造画像変換装置の構成を示すブロック図である。上記多層構造画像変換装置は、図１に示す構成に加えて、関連情報を記憶する関連情報記憶部２６と、データを選択するデータ選択部２７と、を更に備えている。
【００４８】
画像データ変換部２４及び描画記述変換部２５は、データを所定の形式に変換すると、上述した多層構造情報だけでなく、最初の多層構造画像データと変換後の多層構造画像データとの関連を示す関連情報を生成し、この関連情報を関連情報記憶部２６に供給する。
【００４９】
図８は、関連情報記憶部２６に記憶されている関連情報の一例を示す図である。なお、最初の多層構造画像データに関する多層構造情報をｒｏｏｔ、図３に示すように変換された多層構造画像データに関する多層構造情報をｎｏｄｅ１、図５に示すように変換された多層構造画像データに関する多層構造情報をｎｏｄｅ２とする。
【００５０】
同図に示すように、関連情報記憶部２６には、多層構造情報ｒｏｏｔと多層構造情報ｎｏｄｅ１とを関連付ける関連情報ｒｏｏｔ−ｎｏｄｅ１と、多層構造情報ｒｏｏｔと多層構造情報ｎｏｄｅ２とを関連付ける関連情報ｒｏｏｔ−ｎｏｄｅ２と、が記憶されている。そして、ｒｏｏｔ、ｎｏｄｅ１、ｎｏｄｅ２が示す多層構造画像データは、関連情報ｒｏｏｔ−ｎｏｄｅ１、ｒｏｏｔ−ｎｏｄｅ２によって、１つの関連するグループとみなされる。
【００５１】
データ選択部２７は、例えば、外部システム（又はこれを操作するユーザ）からすべてのデータをみせるように要求されると、関連情報によって関連付けられている（同一グループ内の）多層構造画像データのいずれか１つを外部システムに提示する。
【００５２】
データ選択部２７は、外部システムから所定のデータの要求があると、関連情報によって関連付けられている各多層構造画像データの中から、使途やハードウェア資源情報等に応じた多層構造画像データを記憶部３１から読み出す。例えば、データ選択部２７は、記憶部３１に印刷用の多層構造画像データと、コピーサーバ向けの多層構造画像データが記憶されている場合、使途を自動的に判定し、その使途に応じた多層構造画像データを記憶部３１から読み出せばよい。
【００５３】
以上のように、第２の実施形態に係る多層構造画像変換装置は、１つの多層構造画像データを複数の多層構造画像データに変換した後、外部システムからデータ提示の要求があった場合は、関連付けられている多層構造画像データのいずれか１つを外部システムに提示する。そして、上記多層構造画像変換装置は、外部システムから所定の多層構造画像データ（所定のグループ）の選択指示があった場合は、そのグループの中から使途に応じた多層構造画像データを選択して出力する。
【００５４】
これにより、外部システムは、多層構造画像変換装置によって変換されたすべての多層構造画像データをみる必要がなくなり、データ選択の際の負担が軽減される。また、多層構造画像変換装置は、外部システムによって選択されたグループから使途に応じたデータを選択するので、外部システムが所望の使途と異なる使途のデータを誤って選択してしまう、という問題を回避することができる。例えば、外部システム（ユーザ）が高速出力用のデータを意図せずに再利用した結果画質劣化の問題が生じる、などの不具合を防止できる。
【００５５】
［第３の実施形態］
つぎに、本発明の第３の実施形態について説明する。なお、上述した実施形態と同一の部位には同一の符号を付し、その詳細な説明は省略する。
【００５６】
図９は、第３の実施形態に係る多層構造画像変換装置の構成を示すブロック図である。上記多層構造画像変換装置は、図７に示す構成に加えて、データを統合するデータ統合部３２を更に備えている。
【００５７】
データ統合部３２は、１つの多層構造画像データから変換された複数の多層構造画像データを記憶部３１から読み出す。そして、これらの多層構造画像データを１つの多層構造画像データとして統合した後、統合された多層構造画像データを記憶部３１に記憶させる。なお、統合された多層構造画像データに含まれる各々の多層構造画像データは、使途に応じて使い分けられる。
【００５８】
図１０は、第３の実施形態に係る多層構造画像変換装置の他の構成を示すブロック図である。上記多層構造画像変換装置は、図７に示す構成に加えて、データを編集するデータ編集部３３を更に備えている。データ編集部３３は、記憶部３１に記憶されている多層構造画像データを編集し、編集後の多層構造画像データを再び記憶部３１に記憶させる。
【００５９】
このとき、関連情報記憶部２６は、当初の多層構造画像データと編集されたデータとを関連付けて、この関連づけを示す関連情報を記憶する。これにより、多層構造画像変換装置は、編集後のデータについても、第２の実施の形態と同様にして取り扱うことができる。
【００６０】
以上のように、第３の実施形態に係る多層構造画像変換装置は、１つの多層構造画像データから変換された複数の多層構造画像データを統合したり、編集することにより、多層構造画像データの再利用を促進することができる。
【００６１】
［第４の実施形態］
つぎに、本発明の第４の実施形態について説明する。なお、上述した実施形態と同一の部位には同一の符号を付し、その詳細な説明は省略する。
【００６２】
図１１は、第４の実施形態に係る多層構造画像変換装置の構成を示すブロック図である。上記多層構造画像変換装置は、図７に示す構成に加えて、データを送信するデータ送信部３４と、データに基づいて画像を表示するデータ表示部３５と、データに基づいて印刷するデータ印刷部３６と、を更に備えている。
【００６３】
画像データ変換部２４及び描画記述変換部２５は、多層構造画像データの送信、表示、印刷のいずれかの用途が生じた場合、記憶部３１から多層構造画像データを読み出し、その用途に応じて再変換処理を行い、このデータを記憶部３１に記憶させる。
【００６４】
この結果、データ送信部３４、データ表示部３５、データ印刷部３６は、記憶部３１に記憶されている多層構造画像データからその用途にあった多層構造画像データを用いて、送信、表示、印刷を行うことができる。
【００６５】
［第５の実施形態］
つぎに、本発明の第５の実施形態について説明する。なお、上述した実施形態と同一の部位には同一の符号を付し、その詳細な説明は省略する。
【００６６】
図１２は、第５の実施形態に係る多層構造画像変換装置の構成を示すブロック図である。上記多層構造画像変換装置は、図１１に示す構成に加えて、文書データを記憶する文書データ記憶部１２と、文書データを変換する文書データ変換部１３と、データ編集部３３と、を更に備えている。
【００６７】
本実施形態では、入力部１１は、例えばＰＤＦデータ等の文書データが入力され、この文書データを文書データ記憶部１２に供給する。文書データ変換部１３は、文書データ記憶部１２に記憶された文書データを多層構造画像データに変換し、この多層構造画像データを画像データ抽出部２１、描画抽出部２２、記憶部３１に供給する。
【００６８】
関連情報記憶部２６は、文書データ記憶部１２から文書データの関連情報を読み出したり、文書データ変換部１３から多層構造画像データの関連情報を読み出す。これにより、関連情報記憶部２６には、文書データ、当該文書データから変換された多層構造画像データ、当該多層構造画像データから変換された複数の多層構造画像データを関連付ける関連情報が記憶される。
【００６９】
データ選択部２７は、外部システムからの要求があると、関連付けられたデータの中から、その要求の使途に応じて、例えば文書データ記憶部１２から文書データを読み出したり、記憶部３１から多層構造画像データを読み出す。そして、読み出されたデータは、データ編集部３３で編集されたり、データ送信部３４によって送信されたり、データ表示部３５によって表示されたり、データ印刷部３６によって印刷される。
【００７０】
以上のように、第５の実施形態に係る多層構造画像変換装置は、文書データ、当該文書データから変換された多層構造画像データ、当該多層構造画像データから所定の形式に変換された複数の多層構造画像データを関連付けて管理し、これらのデータの中から使途に応じたデータを出力する。これにより、使途に応じて様々なデータが必要である場合でも、ユーザは所望の画像を選択するだけで、最適なデータが読み出される。
【００７１】
［第６の実施形態］
つぎに、本発明の第６の実施形態について説明する。なお、上述した実施形態と同一の部位には同一の符号を付し、その詳細な説明は省略する。
【００７２】
図１３は、第６の実施形態に係る多層構造画像変換装置の構成を示すブロック図である。本実施形態に係る多層構造画像変換装置は、拡張多層構造画像データを保存又は変換するものである。拡張多層構造画像データは、上述した多層構造画像データの他に、文字の種別を表す文字コード・データ、及び線分や矩形などの図形を表す図形描画命令を含んでいる。上記多層構造画像変換装置は、このような拡張多層構造画像データから、画像データ、描画記述、文字コード・データ、及び図形描画命令を抽出して、これらをできる限りそのまま保存したり、又は使途に応じて変換する。
【００７３】
上記多層構造画像変換装置は、図１に示す構成に加えて、文字コード・データを抽出する文字コード・データ抽出部４１と、図形描画命令を抽出する図形描画命令抽出部４２と、抽出された文字コード・データを変換する文字コード・データ変換部４３と、抽出された図形描画命令を変換する図形描画命令変換部４４と、を更に備えている。
【００７４】
文字コード・データ抽出部４１は、拡張多層構造画像データから文字コード・データを抽出し、これを変換指示部２３及び文字コード・データ変換部４３に供給する。図形描画命令抽出部４２は、拡張多層構造画像データから図形描画命令を抽出し、これを変換指示部２３及び図形描画命令変換部４４に供給する。
【００７５】
変換指示部２３は、印刷使途（画像データ形式、圧縮原理、絵柄など）に応じて、画像データの圧縮方式を決定し、その圧縮方式に対応するように、文字コード・データ変換部４３や図形描画命令変換部４４にデータ変換処理を指示する。そして、文字コード・データ変換部４３は、変換指示部２３の指示に従って、文字コード・データを指示された形式に変換する。同様に、図形描画命令変換部４４は、変換指示部２３の指示に従って、図形描画命令を指示された形式に変換する。
【００７６】
この結果、記憶部３１には、画像データ変換部２４で変換された画像データ、描画記述変換部２５で変換された描画記述の他に、文字コード・データ変換部４３で変換された文字コード・データ、図形描画命令変換部４４で変換された図形描画命令が記憶される。
【００７７】
以上のように、第６の実施形態に係る多層構造画像変換装置は、拡張多層構造画像データから画像データ、描画記述、文字コード・データ、図形描画命令をそれぞれ抽出し、これらを外部システムからの要求された使途に応じて変換して、保存することができる。なお、多層構造画像変換装置は、拡張多層構造画像データから抽出した各データをそのまま保存してもよい。
【００７８】
なお、本発明は、上述した実施の形態に限定されるものではなく、特許請求の範囲に記載された範囲内で設計上の変更をされたものにも適用可能であるのは勿論である。例えば、第６の実施形態に係る多層構造画像変換装置は、第２乃至第５の実施形態にも適用可能である。
【図面の簡単な説明】
【００７９】
【図１】第１の実施形態に係る多層構造画像変換装置の構成を示すブロック図である。
【図２】多層構造画像データの構成を示す図である。
【図３】多層構造画像変換装置に入力された多層構造画像データと変換されたデータ（変換データ）を示す図である。
【図４】変換中のデータを説明する図である。
【図５】多層構造画像変換装置に入力された多層構造画像データと変換データを示す図である。
【図６】変換中のデータを説明する図である。
【図７】第２の実施形態に係る多層構造画像変換装置の構成を示すブロック図である。
【図８】関連情報記憶部に記憶されている関連情報の一例を示す図である。
【図９】第３の実施形態に係る多層構造画像変換装置の構成を示すブロック図である。
【図１０】第３の実施形態に係る多層構造画像変換装置の他の構成を示すブロック図である。
【図１１】第４の実施形態に係る多層構造画像変換装置の構成を示すブロック図である。
【図１２】第５の実施形態に係る多層構造画像変換装置の構成を示すブロック図である。
【図１３】第６の実施形態に係る多層構造画像変換装置の構成を示すブロック図である。
【符号の説明】
【００８０】
１１  入力部
１２  文書データ記憶部
１３  文書データ変換部
２１  画像データ抽出部
２２  描画抽出部
２３  変換指示部
２４  画像データ変換部
２５  描画記述変換部
２６  関連情報記憶部
２７  データ選択部
３１  記憶部
３２  データ統合部
３３  データ編集部
４１  文字コード・データ抽出部
４２  図形描画命令抽出部
４３  文字コード・データ変換部
４４  図形描画命令変換部
【図１】
2006279109.tif 000003
【図２】
2006279109.tif 000004
【図３】
2006279109.tif 000005
【図４】
2006279109.tif 000006
【図５】
2006279109.tif 000007
【図６】
2006279109.tif 000008
【図７】
2006279109.tif 000009
【図８】
2006279109.tif 000010
【図９】
2006279109.tif 000011
【図１０】
2006279109.tif 000012
【図１１】
2006279109.tif 000013
【図１２】
2006279109.tif 000014
【図１３】
2006279109.tif 000015